(57)【要約】【課題】部品情報を管理する部品情報管理装置において、機種の生産が終了した際に、部品の格付けを適切に変更することができるようにする。【解決手段】部品情報に関するデータベースを備えた部品情報管理装置２が、生産終了機種を構成する部品に関する部品情報を分析し、分析結果に基づき１または２以上のデータ項目を選定し、選定された上記データ項目の部品情報を分析し、分析結果に基づき部品格付けを活用予定部品あるいは生産不要部品に変更する。【選択図】　図１
2004078667.tif 000002
【特許請求の範囲】
【請求項１】
部品情報に関するデータベースを備えた部品情報管理装置において、
生産終了機種を構成する部品に関する部品情報を分析し、分析結果に基づき１または２以上のデータ項目を選定し、
選定された上記データ項目の部品情報を分析し、分析結果に基づき部品格付けを活用予定部品あるいは生産不要部品に変更することを特徴とする部品情報管理装置。
【請求項２】
部品格付けが変更された部品の部品情報を分析し、分析結果に基づき１または２以上のデータ項目を選定し、
選定された上記データ項目の部品情報を分析し、分析結果に基づきサービス対象であるか否かを判別し、
サービス対象部品でない場合には、サービス対象部品でないと判別された部品の部品情報を抹消することを特徴とする請求項１記載の部品情報管理装置。
【請求項３】
サービス対象でないと判別された部品の部品情報を、ネットワークを介して、取引先に開示することを特徴とする請求項２記載の部品情報管理装置。
【請求項４】
部品情報に関するデータベースを備えた部品情報管理装置の部品情報管理方法において、
生産終了機種を構成する部品に関する部品情報を分析し、分析結果に基づき１または２以上のデータ項目を選定するステップと、
選定された上記データ項目の部品情報を分析し、分析結果に基づき部品格付けを活用予定部品あるいは生産不要部品に変更するステップと
を備えることを特徴とする部品情報管理方法。
【請求項５】
部品格付けが変更された部品の部品情報を分析し、分析結果に基づき１または２以上のデータ項目を選定するステップと、
選定された上記データ項目の部品情報を分析し、分析結果に基づきサービス対象であるか否かを判別するステップと、
サービス対象部品でない場合には、サービス対象部品でないと判別された部品の部品情報を抹消するステップと
を備えることを特徴とする請求項４記載の部品情報管理方法。
【請求項６】
サービス対象でないと判別された部品の部品情報を、ネットワークを介して、取引先に開示するステップをさらに備えることを特徴とする請求項５記載の部品情報管理方法。
【請求項７】
部品情報を管理するための部品情報管理プログラムが記録された記録媒体において、
生産終了機種を構成する部品に関する部品情報を分析し、分析結果に基づき１または２以上のデータ項目を選定するステップと、
選定された上記データ項目の部品情報を分析し、分析結果に基づき部品格付けを活用予定部品あるいは生産不要部品に変更するステップと
を備えた部品情報管理プログラムが記録された記録媒体。
【請求項８】
上記部品情報管理プログラムが、
部品格付けが変更された部品の部品情報を分析し、分析結果に基づき１または２以上のデータ項目を選定するステップと、
選定された上記データ項目の部品情報を分析し、分析結果に基づきサービス対象であるか否かを判別するステップと、
サービス対象部品でない場合には、サービス対象部品でないと判別された部品の部品情報を抹消するステップと
をさらに備えることを特徴とする請求項７記載の記録媒体。
【請求項９】
上記部品情報管理プログラムが、サービス対象でないと判別された部品の部品情報を、ネットワークを介して、取引先に開示するステップをさらに備えることを特徴とする請求項８記載の記録媒体。
【発明の詳細な説明】
【０００１】
【発明の属する技術分野】
この発明は、部品情報管理装置および部品情報管理方法、ならびに記録媒体に関し、特に、部品の格付けを見直すことができる部品情報管理装置に適用して好適なものである。
【０００２】
【従来の技術】
近年、製品メーカでは、製品を構成している複数の部品に関する情報を管理するために、部品情報管理システムを備えているのが一般的である。
【０００３】
図１１に、従来の部品情報管理システムの構成の一例を示す。この部品情報管理システムは、図１１に示すように、主として、ネットワーク１０３を介して接続された端末装置１０１および部品情報管理装置１０２を備える。
【０００４】
図１１に示すように、メインフレームである部品情報管理装置１０２は、データベースシステムとして、部品構成情報管理システム１０２Ａ、購入情報管理システム１０２Ｂ、金型情報管理システム１０２Ｃおよびサービス部品情報管理システム１０２Ｄを有する。
【０００５】
図１２に、各データベースシステムのフィールド情報の例を示す。部品構成情報管理システム１０２Ａは、部品番号（Ｐａｒｔｓ　Ｎｕｍｂｅｒ（ＰＮ））、ＰＮ登録日、部品名称、登録部門、ＳＤＩ区分（部品の格付区分を意味し、格付が高いほど汎用性があるものとされる）、変更履歴，ＰＳ（Ｐａｒｔｓ　Ｓｔｒｕｃｔｕｒｅ）（構成機種（製品）を意味する）などのフィールドを有する。
【０００６】
購入情報管理システム１０２Ｂは、ＰＮ、部品名称、購入事業所、部品カテゴリー、購入取引先名称、単価／通貨単位、購入高、更新履歴などのフィールドを有する。
【０００７】
金型情報管理システム１０２Ｃは、ＰＮ、金型名称、金型所有部門、購入取引先名称、取数（金型から取れる数）、取得価格／償却費用、保管区分／棚卸区分などのフィールドを有する。
【０００８】
サービス部品情報管理システム１０２Ｄは、部品番号、製品コード、部品名称、購入取引先名称、保管場所／保管数量、保守区分などのフィールドを有する。
【０００９】
また、ネットワーク１０３に対して、標準部品一覧を管理するデータベースサーバがさらに接続される場合もある。この標準部品一覧は、電気、機械および半導体などの分野において、積極的な活用が推進された汎用部品の情報を表示した一覧である。なお、標準部品一覧に表示される標準部品は、不定期に開催される製造メーカの有識者会合により選定される。
【００１０】
図１３は、生産機種が生産終了となった際の部品情報管理装置１０２および公開Ｗｅｂサーバ１０３の動作を説明するためのフローチャートである。
【００１１】
まず、ステップＳ１０１において、端末装置１０１に表示された機種番号入力画面に対して、生産が終了となった生産機種の機種番号が入力され、適宜操作されることにより、機種生産終了の処理が開始される。
【００１２】
次に、ステップＳ１０２において、部品構成情報管理システム１０２Ａが、端末装置１０１から供給された機種番号に基づき、データベースを検索し、この機種番号の機種を構成している部品の部品情報を抽出する。そして、この抽出した部品情報に基づき、生産終了となった機種を構成している部品について、他の機種への流用があるか否かを判別する。他の機種への流用がないと判別した場合には、部品情報の親子関係を解除し、ステップＳ１０３に処理を移す。一方、他の機種への流用があると判別した場合には、処理を中止する。すなわち、他の機種への流用がある部品は、以後の処理の対象から除外される。
【００１３】
次に、ステップＳ１０３において、部品構成情報管理システム１０２Ａが、直近の部品格付け（ＰＮ　Ｓｔａｔｕｓ）が「活用予定部品（Ａｃｔ）」および「生産不必要部品（Ｏｂｓｏｌｅｔｅ）のうちのどちらであるかを判別する。部品格付けが活用予定部品である場合には処理をステップＳ１０４に移し、生産不必要部品である場合には処理を中止する。
【００１４】
次に、ステップＳ１０４において、部品構成情報管理システム１０２Ａが、直近の部品格付けが「活用予定部品（Ａｃｔ）」および「生産不必要部品（Ｏｂｓｏｌｅｔｅ）のうちのどちらであるかを判別する。部品格付けが活用予定部品である場合には処理をステップＳ１０５に進め、生産不必要部品である場合には情報を抹消する。ここで、直近の部品格付けは、例えば、現在の部品格付けより１つ前の部品格付けである。
【００１５】
次に、ステップＳ１０５において、部品構成情報管理システム１０２Ａが、予め設定された判断基準に基づき、区分を分析する。
【００１６】
次に、ステップＳ１０６において、部品構成情報管理システム１０２Ａが、ステップＳ１０５における分析結果に基づき、部品格付けが変更可能であるか否かを判別する。部品格付けが変更可能でない場合には処理を中止し、部品格付けが変更可能である場合にはステップＳ１０７に処理を移す。
【００１７】
次に、ステップＳ１０７において、部品構成情報管理システム１０２Ａが、部品格付けを活用予定部品から生産不要部品に変更する。
【００１８】
次に、ステップＳ１０８において、金型情報管理システム１０２Ｃが、部品構成情報管理システム１０２Ａから供給された部品情報（例えば、部品番号）に基づき、データベースを検索することにより、金型が保有されているか否かを分析する。
【００１９】
次に、ステップＳ１０９において、金型情報管理システム１０２Ｃが、金型が保有されている場合には処理をステップＳ１１０に移し、金型が保有されていない場合には処理を中止する。
【００２０】
次に、ステップＳ１１０において、サービス部品情報管理システム１０２Ｄが、予め設定された判断基準に基づき、区分を分析する。判断基準は、例えば、管理コードがあるか否か、あるいは代替コードが存在するか否かである。
【００２１】
次に、ステップＳ１１１において、サービス部品情報管理システム１０２Ｄが、ステップＳ１１０での分析結果に基づき非サービス対象であるか否かを判別する。非サービス対象であると判別した場合には処理をステップＳ１１２に移し、非サービス対象でないと判別した場合には処理を中止する。例えば、管理コードがない場合、あるいは代替コードある場合には、ステップＳ１１２に処理が移る。
【００２２】
次に、ステップＳ１１２において、サービス部品情報管理システム１０２Ｄが、金型情報管理システム１０２Ｃから供給された部品番号に対応する部品情報をデータベースから抹消する。これにより、不必要な情報の整理を実施し、情報過多を抑制することができる。
【００２３】
また、ステップＳ１１３において、金型情報管理システム１０２Ｃが、サービス部品情報管理システム１０２Ｄから供給された部品番号に対応する部品情報をデータベースから抹消する。
【００２４】
【発明が解決しようとする課題】
ところが、従来の部品情報管理装置では、生産機種が生産終了となった際に、部品格付けを適切に変更することができないという問題があった。
【００２５】
また、従来の部品情報管理装置では、生産機種が生産終了となった際に、データベースから不要な部品情報を適切に消去することができないという問題があった。
【００２６】
また、従来の部品情報管理装置では、廃番にした部品の情報が関係取引先に開示されないため、関係取引先では不必要な部品を維持管理しなければならないという問題があった。
【００２７】
したがって、この発明の第１の目的は、生産機種が生産終了となった際に、部品の格付けを適切に変更することができる部品情報管理装置および部品情報管理方法、ならびに記録媒体を提供することにある。
【００２８】
また、この発明の第２の目的は、生産機種が生産終了となった際に、データベースから不要な部品情報を適切に消去することができる部品情報管理装置および部品情報管理方法、ならびに記録媒体を提供することにある。
【００２９】
また、この発明の第３の目的は、関係取引先における不要な部品の維持管理を回避することができる部品情報管理装置および部品情報管理方法、ならびに記録媒体を提供することにある。
【００３０】
【課題を解決するための手段】
上述した課題を解決するために、本願第１の発明は、部品情報に関するデータベースを備えた部品情報管理装置において、
生産終了機種を構成する部品に関する部品情報を分析し、分析結果に基づき１または２以上のデータ項目を選定し、
選定されたデータ項目の部品情報を分析し、分析結果に基づき、部品格付けを活用予定部品あるいは生産不要部品に変更することを特徴とする部品情報管理装置である。
【００３１】
本願第２の発明は、部品情報に関するデータベースを備えた部品情報管理装置の部品情報管理方法において、
生産終了機種を構成する部品に関する部品情報を分析し、分析結果に基づき１または２以上のデータ項目を選定するステップと、
選定されたデータ項目の部品情報を分析し、分析結果に基づき、部品格付けを活用予定部品あるいは生産不要部品に変更するステップと、
を備えることを特徴とする部品情報管理方法である。
【００３２】
本願第３の発明は、部品情報を管理するための部品情報管理プログラムが記録された記録媒体において、
生産終了機種を構成する部品に関する部品情報を分析し、分析結果に基づき１または２以上のデータ項目を選定するステップと、
選定されたデータ項目の部品情報を分析し、分析結果に基づき、部品格付けを活用予定部品あるいは生産不要部品に変更するステップと、
を備えた部品情報管理プログラムが記録された記録媒体である。
【００３３】
上述したように、この発明によれば、生産終了機種を構成する部品に関する部品情報を分析し、分析結果に基づき１または２以上のデータ項目を選定し、選定されたデータ項目の部品情報を分析し、分析結果に基づき部品格付けを活用予定部品あるいは生産不要部品に変更するため、部品格付けの変更を適切な部品情報分析に基づき行うことができる。
【００３４】
【発明の実施の形態】
以下、この発明の一実施形態について図面を参照しながら説明する。図１は、この発明の一実施形態による部品情報管理システムの構成の一例を示す。図１に示すように、この部品情報管理システムは、主として、ネットワーク４を介して接続された端末装置１、メインフレームである部品情報管理装置２および公開Ｗｅｂサーバ３を備える。ここで、ネットワーク４は、例えばイントラネットなどのＬＡＮ（Ｌｏｃａｌ　Ａｒｅａ　Ｎｅｔｗｏｒｋ）、ＷＡＮ（Ｗｉｄｅ　Ａｒｅａ　Ｎｅｔｗｏｒｋ）あるいはインターネットである。また、公開Ｗｅｂサーバ３は、ネットワーク４以外のネットワーク（例えば、インターネット）に対して、さらに接続されている。
【００３５】
また、図示を省略するが、ネットワーク４に対して、標準部品一覧を管理するデータベースサーバがさらに接続されている。この標準部品一覧は、電気、機械および半導体などの分野において、積極的な活用が推進された汎用部品の情報を表示した一覧表である。なお、標準部品一覧に表示される標準部品は、不定期に開催される製品メーカの有識者会合により選定される。
【００３６】
図２は、端末装置１の構成の一例を示すブロック図である。この端末装置１は、図２に示すように、バス２０を介して相互に接続された表示装置１１、ＣＰＵ（Ｃｅｎｔｒａｌ　Ｐｒｏｃｅｓｓｉｎｇ　Ｕｎｉｔ）１２、ＲＯＭ（Ｒｅａｄ　Ｏｎｌｙ　Ｍｅｍｏｒｙ）１３、ＲＡＭ（Ｒａｎｄｏｍ　Ａｃｃｅｓｓ　Ｍｅｍｏｒｙ）１４、通信インターフェース（以下、Ｉ／Ｆ）１５、ハードディスク１６、座標入力装置１７、文字入力装置１８および記憶装置１９を備える。
【００３７】
表示装置１１は、ＣＰＵ１２の制御に基づき、情報を表示するためのものであり、例えば、ＣＲＴディスプレイ（Ｃａｔｈｏｄｅ　Ｒａｙ　Ｔｕｂｅ　ｄｉｓｐｌａｙ）、液晶ディスプレイ（ｌｉｑｕｉｄ　ｃｒｙｓｔａｌ　ｄｉｓｐｌａｙ）、プラズマディスプレイ（ｐｌａｓｍａ　ｄｉｓｐｌａｙ）である。ＣＰＵ１２は、端末装置１に備えられた各部を制御するためのものである。ＲＯＭ１３は、端末装置１の起動に必要なプログラムを記憶するためのものである。ＲＡＭ１４は、ＣＰＵ１２によりワークメモリとして用いられるものである。通信Ｉ／Ｆ１５は、部品情報管理装置２および公開Ｗｅｂサーバ３と通信するためのものであり、ネットワーク４に対して接続される。
【００３８】
ハードディスク１６は、オペレーションシステム（Ｏｐｅｒａｔｉｏｎ　Ｓｙｓｔｅｍ（ＯＳ））、Ｗｅｂブラウザ（Ｗｅｂ　ｂｒｏｗｓｅｒ）などのアプリケーションソフトウェア（ａｐｐｌｉｃａｔｉｏｎ　ｓｏｆｔｗａｒｅ）およびデータなどを記憶するためのものである。座標入力装置１７は、端末装置１に対して位置や座標を指示するための装置であり、例えば、マウスである。文字入力装置１８は、文字の入力およびアプリケーションソフトウェアの操作などをするためのものであり、例えば、キーボードである。記憶装置１９は、記録媒体からのデータ読み取りおよび記録媒体に対するデータの書き込みをするための装置である。ここで、記録媒体は、例えば、フロッピー（登録商標）ディスク、Ｚｉｐなどの磁気記録媒体、ＭＯ（（Ｍａｇｎｅｔｏ　Ｏｐｔｉｃａｌ）などの光磁気記録媒体、あるいは、ＣＤ−Ｒ（Ｃｏｍｐａｃｔ　Ｄｉｓｃ　Ｒｅｃｏｒｄａｂｌｅ）、ＣＤ−ＲＷ（Ｃｏｍｐａｃｔ　Ｄｉｓｃ　ＲｅＷｒｉｔａｂｌｅ）、ＣＤ−ＲＯＭ（Ｃｏｍｐａｃｔ　Ｄｉｓｃ　Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）などの光記録媒体である。
【００３９】
部品情報管理装置２および公開Ｗｅｂサーバ３は、上述した端末装置１と略同様の構成を有するので説明を省略する。
【００４０】
部品情報管理装置２は、部品構成情報管理システム２Ａ、購入情報管理システム２Ｂ、金型情報管理システム２Ｃ、サービス部品情報管理システム２Ｄ、サービス部品構成情報管理システム２Ｅおよび取引先情報管理システム２Ｆを有する。
【００４１】
部品構成情報管理システム２Ａは、階層構造を有するデータベースを備える。購入情報管理システム２Ｂ、金型情報管理システム２Ｃ、サービス部品情報管理システム２Ｄ、サービス部品構成情報管理システム２Ｅおよび取引先情報管理システム２Ｆは、階層構造を有していないデータベースを備える。
【００４２】
図３に、部品構成情報管理システム２Ａが備えるデータベースの階層構造の一例を示す。テーブル４１は、部品番号に固有な部品名称などを示すものであり、テーブル４２は、部品毎の構成や使用数量などを示すものである。
【００４３】
図４に、各システムにおけるフィールドの一例を示す。図５に、各システムにおけるテーブルの一例を示す。ここで、図５Ａ、５Ｂ、５Ｃ、５Ｄ、５Ｅ、５Ｆは、それぞれ、部品構成情報管理システム２Ａ、購入情報管理システム２Ｂ、金型情報管理システム２Ｃ、サービス部品情報管理システム２Ｄ、サービス部品構成情報管理システム２Ｅ、取引先情報管理システム２Ｆにおけるテーブルの一例を示す。
【００４４】
部品構成情報管理システム２Ａは、ＰＮ、ＰＮ登録日、部品名称、登録部門、ＳＤＩ区分（部品の格付区分を意味し、格付が高いほど汎用性があるものとされる）、変更履歴，ＰＳ（Ｐａｒｔｓ　Ｓｔｒｕｃｔｕｒｅ）（構成機種（製品）を意味する）などのフィールドを有する。変更履歴は、例えば、部品格付けの変更に関する履歴であり、このフィールドを参照することにより、直近の部品格付けが以前どのような部品格付けであったかを判別することができる。
【００４５】
購入情報管理システム２Ｂは、ＰＮ、部品名称、購入事業所、部品カテゴリー、購入取引先名称、単価／通貨単位、購入高、更新履歴などのフィールドを有する。
【００４６】
金型情報管理システム２Ｃは、ＰＮ、金型名称、金型所有部門、購入取引先名称、取数（金型から取れる数）、取得価格／償却費用、保管区分／棚卸区分などのフィールドを有する。
【００４７】
サービス部品情報管理システム２Ｄは、部品番号、製品コード、部品名称、購入取引先名称、保管場所／保管数量、保守区分などのフィールドを有する。製品コードは、同一のＦ番を持つ生産機種であるが、その仕向地の相違に応じて独自に付加されたコードである。例えば国内仕様、欧州仕様等で製品コードが付加される。通常Ｆ番と共に存在する。Ｆ番は、データベースシステムにおけるＰＳと同様のものであって、構成機種（製品）の情報を意味する。
【００４８】
サービス部品構成情報管理システム２Ｅは、部品番号、構成機種、部品名称、生産終了（Ｄｉｓｃｏｎ）年月日などのフィールドを有する。
【００４９】
取引先情報管理システム２Ｆは、取引先コード、取引先社名、ＢＳ／ＰＬ、所在地（本社／営業所／工場）、電話番号／ＦＡＸ、最終取引年月日などのフィールドを有する。
【００５０】
参照キーは、複数のシステム間で一意的にデータを識別することを可能にするためのものであり、この参照キーには、各システム間において共通するフィールドが選ばれる。この発明の一実施形態では、部品構成情報管理システム２Ａ、購入情報システム２Ｂ、金型情報管理システム２Ｃ、サービス部品情報管理システム２Ｄおよびサービス部品構成情報管理システム２Ｅにおいて、部品番号が参照キーとされる。
【００５１】
次に、生産機種が生産終了となった際の部品情報管理装置２および公開Ｗｅｂサーバ３の動作を説明する。
【００５２】
図６および図７は、生産機種が生産終了となった際の部品情報管理装置２および公開Ｗｅｂサーバ３の動作を説明するためのフローチャートである。
【００５３】
まず、ステップＳ１において、端末装置１に表示された機種番号入力画面に対して、生産が終了となった生産機種の機種番号が入力され、適宜操作されることにより、機種生産終了の処理が開始される。
【００５４】
図８に、生産が終了になった機種番号を入力するための機種番号入力画面の一例を示す。この機種番号入力画面は、図８に示すように、部品番号、機種登録部門、本図番登録年月日および生産終了年月日などのフィールドを有する。番号入力フィールド２１に、生産終了となる機種の機種番号を入力し、適宜操作するとことにより、生産機種の生産終了処理が開始される。
【００５５】
次に、ステップＳ２において、部品構成情報管理システム２Ａが、端末装置１から供給された機種番号に基づき、データベースを検索し、この機種番号の機種を構成している部品の部品情報を抽出する。そして、この抽出した部品情報に基づき、生産終了となった機種を構成している部品について、他の機種への流用があるか否かを判別する。他の機種への流用がないと判別した場合には部品情報の親子関係を解除し、ステップＳ３に処理を移す。一方、他の機種への流用があると判別した場合には処理を中止する。すなわち、他の機種への流用がある部品は、以後の処理の対象から除外される。
【００５６】
次に、ステップＳ３において、部品構成情報管理システム２Ａが、部品格付けが「活用予定部品（Ａｃｔ）」および「生産不必要部品（Ｏｂｓｏｌｅｔｅ）のうちのどちらであるかを判別する。部品格付けが活用予定部品である場合には処理をステップＳ４に移し、生産不必要部品である場合には処理を中止する。
【００５７】
次に、ステップＳ４において、部品構成情報管理システム２Ａが、直近の部品格付けが「活用予定部品（Ａｃｔ）」および「生産不必要部品（Ｏｂｓｏｌｅｔｅ）のうちのどちらであるかを判別する。部品格付けが活用予定部品である場合には処理をステップＳ５に進め、生産不必要部品である場合には情報を抹消する。なお、情報を抹消する前に、端末装置１に備えられたモニタ装置に、登録抹消の影響を警告することが好ましい。ここで、直近の部品格付けは、例えば、現在の部品格付けより１つ前の部品格付けである。
【００５８】
次に、ステップＳ５において、部品構成情報管理システム２Ａが、予め設定された判断基準以外のフィールド情報、例えば、部品構成情報管理システム２Ａ上のフィールド情報および、連携関係にある他システム上のフィールド情報を分析し、この分析結果に基づき１または２以上のフィールドを選定する。
【００５９】
そして、ステップＳ６において、部品構成情報管理システム２Ａが、選定されたフィールドの部品情報を新たな判断基準として、部品情報を分析する。これにより、常に判断基準そのものの適正な見直しを行うことができる。
【００６０】
次に、ステップＳ７において、部品構成情報管理システム２Ａが、ステップＳ６における分析結果に基づき、部品格付けが変更可能であるか否かを判別する。部品格付けが変更可能でない場合には処理を中止し、部品格付けが変更可能である場合にはステップＳ８に処理を移す。
【００６１】
次に、ステップＳ８において、部品構成情報管理システム２Ａが、部品格付けを活用予定部品から生産不要部品に変更する。これにより、論理削除によるレコード移行が実施され、部品情報検索システムの稼働負担軽減効果を得ることができる。なお、部品格付けが変更されなかった部品情報については、以下の作業の対象から除外される。
【００６２】
次に、ステップＳ９において、部品構成情報管理システム２Ａが、部品格付けが何らかの理由により生産不要部品から活用予定部品に変更された場合、ステップＳ１０において部品情報（例えば、部品番号）を抽出する。そして、部品構成情報管理システム２Ａが、ステップＳ８にて部品格付けが活用予定部品から生産不要部品に変更された部品情報（例えば、ＰＮおよび／あるいはＰＳ）をサービス部品構成情報管理システムに供給する。なお、このステップＳ１０にて抽出された部品情報は、サービス部品構成情報管理システム２Ｅに供給する部品情報から除かれる。すなわち、このステップＳ１０にて抽出された部品情報は、以後の処理対象から除外される。
【００６３】
次に、ステップＳ１１において、サービス部品構成情報管理システム２Ｅが、部品構成情報管理システム２Ａから供給された部品情報（例えば、ＰＮおよびＰＳ）を、データベースに格納するとともに、サービス部品情報管理システム２Ｄに供給する。このサービス部品構成情報管理システム２Ｅの主たる役割は、生産が不要になった部品を格納することにある。
【００６４】
ステップＳ１２において、サービス部品情報管理システム２Ｄが、予め設定された判断基準以外のフィールド情報、例えば、サービス部品情報管理システム２Ｄ上のフィールド情報および、連携関係にある他システム上のフィールド情報を分析し、この分析結果に基づき１または２以上のフィールドを選定する。
【００６５】
そして、ステップＳ１３において、サービス部品情報管理システム２Ｄが、ステップＳ１２にて選定されたフィールドの部品情報を新たな判断基準として、部品情報を分析する。これにより、常に判断基準そのものの適正な見直しを行うことができる。例えば、管理コード／代替管理コード、在庫区分および保守頻度を示すフィールドなどを判断基準として分析する。
【００６６】
次に、ステップＳ１４において、サービス部品情報管理システム２Ｄが、ステップＳ１３での分析結果に基づき非サービス対象であるか否かを判別する。非サービス対象であると判別した場合、処理をステップＳ１５に移し、非サービス対象でないと判別した場合、処理を中止する。
【００６７】
次に、ステップＳ１５において、サービス部品情報管理システム２Ｄが、ステップＳ１４にて非サービス対象であると判別された部品の部品番号を抽出し、この抽出した部品番号を購入情報管理システム２Ｂに供給するとともに、金型情報管理システム２Ｃに供給する。
【００６８】
次に、ステップＳ１６において、サービス部品情報管理システム２Ｄが、ステップＳ１５にて抽出された部品番号に対応する部品情報（例えば、レコード）をデータベースから抹消するとともに、サービス部品構成情報管理システム２Ｅに、この部品番号を供給する。
【００６９】
次に、ステップＳ１７において、サービス部品構成情報管理システム２Ｅが、サービス部品情報管理システム２Ｄから供給された部品番号に対応する部品情報（例えば、レコード）をデータベースから抹消する。これにより、不必要な情報の整理を実施し、情報過多を抑制することができる。
【００７０】
また、ステップＳ１８において、金型情報管理システム２Ｃが、サービス部品情報管理システム２Ｄから供給された部品番号に基づきデータベースを検索し、この部品番号を有する部品の金型が保有されているか否かを判別する。金型が保有されている場合には処理をステップＳ１９に移し、金型が保有されていない場合には処理を中止する。
【００７１】
次に、ステップＳ１９において、金型情報管理システム２Ｃは、サービス部品情報管理システム２Ｄから供給された部品番号に対応する部品情報（例えば、レコード）をデータベースから抹消する。これにより、不必要な情報の整理を実施し、情報過多を抑制することができる。
【００７２】
また、ステップＳ２０において、購入情報管理システム２Ｂが、サービス部品情報管理システム２Ｄから供給された部品番号を、標準部品一覧を有するデータベースサーバに供給する。なお、購入情報管理システム２Ｂを介せずに、サービス部品情報管理システム２Ｄから標準部品一覧を有するデータベースサーバに、部品番号を供給するようにしてもかまわない。
【００７３】
次に、ステップＳ２１において、標準部品一覧を有するデータベースサーバが、購入情報管理システム２Ｂから供給された部品番号に対応する部品が標準格付け部品であるか否かを判別する。標準格付け部品でないと判別した場合には処理を中止し、標準格付け部品であると判別した場合には処理をステップＳ２２に移す。
【００７４】
ステップＳ２２において、標準部品一覧を有するデータベースサーバが、購入情報管理システム２Ｂから供給された部品番号に対応する部品情報（例えば、レコード）を標準部品一覧から抹消する。
【００７５】
また、ステップＳ２３において、購入情報管理システム２Ｂが、ステップＳ２０にて供給された部品番号に基づきデータベースを検索し、購入実績があるか否かを判別する。購入実績があると判別した場合にはステップＳ２５に処理を移し、購入実績がない場合にはステップＳ２４に処理を移す。
【００７６】
ステップＳ２４において、公開Ｗｅｂサーバ３が、購入情報管理システムから供給された部品番号などの部品情報を公開する。
【００７７】
次に、ステップＳ２５において、購入情報管理システム２Ｂが、供給された部品番号に、取引先コードを付与し、公開Ｗｅｂサーバ３に供給する。この際、取引先コードに加え、部品名称などの部品情報も公開Ｗｅｂサーバ３に供給するようにしてもかまわない。
【００７８】
次に、ステップＳ２６において、公開Ｗｅｂサーバ３が、取引先コードに基づき、購入情報管理システム２Ｂから供給された部品番号などの情報を、取引先毎に公開する。
【００７９】
図９は、関係取引先への公開画面の一例を示す。この公開画面は、図９に示すように、部品番号、部品名所、ＳＢ番号、廃番廃図日および量産納入月などのフィールドを有する。
【００８０】
なお、公開画面は、公開画面に先立って表示されるアクセス画面に所定情報を入力することにより表示される。
【００８１】
図１０に、公開画面にアクセスするためのアクセス画面の一例を示す。このアクセス画面は、図１０に示すように、ユーザＩＤを入力するためのフィールド３１と、パスワードを入力するためのフィールド３２と、公開画面に表示される言語を選択するための選択部３３ａおよび３３ｂと、入力を確定するためのＯＫボタン３４と、入力情報をリセットするためのリセットボタン３５とを有する。なお、ユーザＩＤおよびパスワードは、取引先に固有な情報であり、部品情報管理装置２および公開Ｗｅｂサーバ３を運営する運営会社（例えば、製品メーカ）により、各取引先に予め与えられるものである。
【００８２】
この発明の一実施形態によれば、以下の効果を得ることができる。
生産機種が生産終了になると、部品情報管理システム２Ａが、この生産が終了になった機種を構成している部品について、他機種への流用があるか否かを判別する。そして、他機種への部品の流用がない場合には、構成情報（親子関係）を解除する。次に、構成情報が解除された部品について、部品格付けの見直しを行った後、最終対象となるをサービス部品構成情報管理システムに引き渡す。このため、サービス部品情報管理システム２Ｄ上に当該サービス対象となる部品番号が存在していない場合にも、情報更新を適切に実施することができる。
【００８３】
また、部品構成情報管理システム２Ａが、このシステムが有するフィールド情報および、他のシステムが有するフィールド情報を分析し、この分析結果に基づき、１または複数のフィールドを判断基準として部品情報を分析し、分析結果に基づき格付けを変更するため、トレンドに応じた部品格付けを行うことができる。
【００８４】
また、金型情報管理システム２Ｃにおける情報更新は、サービス部品情報管理システム２Ｄ上の部品番号の情報管理に基づくため、部品構成情報管理システム２Ａ、サービス部品情報管理システム２Ｄおよび金型情報管理システム２Ｃの整合性を保つことができる。
【００８５】
また、部品構成情報管理システム２Ｂでの部品番号の情報更新は、活用区分の付加した作業（不要な部品の論理的削除が可能）となっている。この論理削除結果を別システム内に格納し、通常時の検索対象から隔離させることにより、システム稼働時の負荷を軽減することができる。また、当該部品の維持管理費用を削減することができる。
【００８６】
また、直近の情報トレンドおよび既定の判断基準の両面から分析して、この分析結果に基づき、部品格付けの見直しをするための判断基準を設定するため、より適切にレコードを抽出することができる。
【００８７】
また、部品構成情報管理システム２Ａ、サービス部品情報管理システム２Ｄ、金型情報管理システム２Ｃおよび購入情報管理システム２Ｂなどのリレーションシステムごとに各フィールド情報の保管先を特定しないため、経時変化による保管先の移行が可能となる。このため、必要情報の集約によるシステム負荷の軽減を図ることができる。
【００８８】
また、廃番情報の関係先への開示制度により、関係取引先に対しても当該部品の維持管理費用も併せて軽減することができる。
【００８９】
また、標準部品一覧表は、直接的にシステムと連携しているため、情報更新後に相互システムと標準部品一覧との整合性をとる必要がない。よって、保守管理工程を大幅に削減することができる。
【００９０】
また、標準部品としての位置付けが十分明確になるために、当該部品の集中購買による価格の低減を十分かつ円滑に実施することができる。
【００９１】
また、システム間の相互補完を行う処理を有しているため、上述したシステム間連携を実施させるための既存のシステム調整もしくは再構築は不必要となり、相互接続時にシステムの処理が中断することを回避することができる。また、システムの保守管理も容易となる。
【００９２】
以上、この発明の一実施形態について具体的に説明したが、この発明は、上述の一実施形態に限定されるものではなく、この発明の技術的思想に基づく各種の変形が可能である。
【００９３】
例えば、上述の一実施形態においては、公開Ｗｅｂサーバ３が、廃番となった部品情報を取引先に開示する場合を例として示したが、部品情報管理装置２が、この部品情報を取引先に開示するようにしてもかまわない。
【００９４】
また、上述した一実施形態においては、生産機種の生産終了に基づく処理を示したため、部品構成情報管理システム２Ａから処理が開始される例についして示したが、データベースシステムの処理の順序はこの例に限られるものではない。例えば、資材担当者からの購買実績分析に基づく処理の場合には、購入情報管理システム２Ｂから処理が開始されるようにしてもかまわない。
【００９５】
【発明の効果】
以上説明したように、請求項１、４および７記載の発明によれば、生産機種が生産終了となった際に、部品格付けを適切に変更することができる。
【００９６】
請求項２、５および８の発明によれば、生産機種が生産終了となった際に、データベースから不要な部品情報を適切に消去することができる。
【００９７】
請求項３、６および９に記載の発明によれば、関係取引先における不要な部品の維持管理を回避することができる。
【図面の簡単な説明】
【図１】この発明の一実施形態による部品情報管理システムの構成の一例を示すブロック部である。
【図２】この発明の一実施形態による端末装置の構成の一例を示すブロック図である。
【図３】この発明の一実施形態による部品構成情報管理システムが備えるデータベースの階層構造の一例を示す略線図である。
【図４】この発明の一実施形態による各データベースシステムのフィールド情報を説明するための略線図である。
【図５】この発明の一実施形態による各データベースシステムのテーブルの一例を示す略線図である。
【図６】この発明の一実施形態による部品情報管理装置および公開Ｗｅｂサーバの動作を説明するためのフローチャートである。
【図７】この発明の一実施形態による部品情報管理装置および公開Ｗｅｂサーバの動作を説明するためのフローチャートである。
【図８】この発明の一実施形態による機種番号入力画面の一例を示す略線図である。
【図９】この発明の一実施形態による公開画面の一例を示す略線図である。
【図１０】この発明の一実施形態によるアクセス画面の一例を示す略線図である。
【図１１】従来の部品情報管理システムの構成の一例を示すブロック部である。
【図１２】従来のデータベースシステムのフィールド情報を説明するための略線図である。
【図１３】従来の部品情報管理装置の動作を説明するためのフローチャートである。
【符号の説明】
１，１０１・・・端末装置、２，１０２・・・部品情報管理装置、３・・・公開Ｗｅｂサーバ、４，１０３・・・ネットワーク
【図１】
2004078667.tif 000003
【図２】
2004078667.tif 000004
【図３】
2004078667.tif 000005
【図４】
2004078667.tif 000006
【図５】
2004078667.tif 000007
【図６】
2004078667.tif 000008
【図７】
2004078667.tif 000009
【図８】
2004078667.tif 000010
【図９】
2004078667.tif 000011
【図１０】
2004078667.tif 000012
【図１１】
2004078667.tif 000013
【図１２】
2004078667.tif 000014
【図１３】
2004078667.tif 000015